(57)【要約】【課題】利用者へのサービス性を向上することが可能であるとともに改札処理効率を向上することが可能な改札機及びこの改札機による改札方法を提供することを目的とする。【解決手段】  第１路線から第２路線への乗継が可能な駅に設置される改札機による改札方法であって、第１券媒体に磁気記録された改札処理に必要な改札情報を読み取り、読み取られた改札情報に基づいて、第１券媒体が第１路線から第２路線へ乗り継ぐための乗継券であるか否かを判断し、第１券媒体が乗継券であると判定されたのに基づき、読み取られた第１券媒体の改札情報を第２券媒体に対して無線通信により書き込むことを特徴とする。【選択図】      図４
2005173971.tif 000002
【特許請求の範囲】
【請求項１】
第１路線から第２路線への乗継が可能な駅に設置される改札機であって、
第１券媒体に磁気記録された改札処理に必要な改札情報を読み取る読取手段と、
前記読取手段により読み取られた改札情報に基づいて、前記第１券媒体が第１路線から第２路線へ乗り継ぐための乗継券であるか否かを判断する判断手段と、
前記判断手段により前記第１券媒体が乗継券であると判定されたのに基づき、前記読取手段により読み取られた前記第１券媒体の改札情報を第２券媒体に対して無線通信により書き込む書込手段と、
を備えたことを特徴とする改札機。
【請求項２】
第１路線から第２路線への乗継が可能な駅に設置される改札機であって、
第１券媒体に磁気記録された改札処理に必要な改札情報を読み取る読取手段と、
前記読取手段により読み取られた改札情報に基づいて、前記第１券媒体が第１路線から第２路線へ乗り継ぐための乗継券であるか否かを判断する判断手段と、
前記判断手段により前記第１券媒体が乗継券であると判定されたのに基づき、前記読取手段により読み取られた前記第１券媒体の改札情報を第２券媒体に対して無線通信により書き込む書込手段と、
前記書込手段により前記第２券媒体に対する改札情報の書込処理中に前記第１券媒体を保留する保留手段と、
前記第１券媒体に対する改札情報の書込処理が完了したのに基づいて、前記保留手段による保留が解除された前記第１券媒体を回収する回収手段と、
前記第１券媒体に対する改札情報の書込処理が正常に完了しなかったのに基づいて、前記保留手段による保留が解除された前記第１券媒体を排出する排出手段と、
を備えたことを特徴とする改札機。
【請求項３】
第１路線から第２路線への乗継が可能な駅に設置される改札機であって、
第１券媒体に磁気記録された改札処理に必要な改札情報を読み取る読取手段と、
前記読取手段により読み取られた改札情報に基づいて、前記第１券媒体が第１路線から第２路線へ乗り継ぐための乗継券であるか否かを判断する判断手段と、
前記判断手段により前記第１券媒体が乗継券であると判定されたのに基づき、第２券媒体との間で無線通信を行う旨を報知する報知手段と、
前記第２券媒体との間で無線通信可能な状態において、前記読取手段により読み取られた前記第１券媒体の改札情報を前記第２券媒体に対して無線通信により書き込む書込手段と、
を備えたことを特徴とする改札機。
【請求項４】
第１路線から第２路線への乗継が可能な駅に設置される改札機であって、
第１券媒体に磁気記録された改札処理に必要な改札情報を読み取る読取手段と、
前記読取手段により読み取られた改札情報に基づいて、前記第１券媒体が第１路線から第２路線へ乗り継ぐための乗継券であるか否かを判断する判断手段と、
前記判断手段により前記第１券媒体が乗継券であると判定されたのに基づき、前記読取手段により読み取られた前記第１券媒体の改札情報を無線通信により記憶した第２券媒体を発券する発券手段と、
を備えたことを特徴とする改札機。
【請求項５】
前記発券手段は、第２券媒体をスタックするスタック手段と、
前記スタック手段から前記第２券媒体を取り出して発券口に向けて搬送する搬送手段と、
前記搬送手段により搬送された前記第２券媒体に対して無線通信により前記第１券媒体の改札情報を書き込む書込手段と、
前記搬送手段により搬送された前記第２券媒体の少なくとも一方の主面に所定情報を印刷する印刷手段と、
を備えたことを特徴とする請求項４に記載の改札機。
【請求項６】
前記判断手段は、第１路線における第１利用区間内での改札処理の有効性を判定するとともに、第１利用区間内での改札処理が有効であると判定したのに基づき、第２路線における前記第１利用区間に連続した第２利用区間での改札処理に必要な改札情報を含む場合に、前記第１券媒体が乗継券であると判断することを特徴とする請求項１乃至５のいずれか１項に記載の改札機。
【請求項７】
第１路線から第２路線への乗継が可能な駅に設置される改札機による改札方法であって、
第１券媒体に磁気記録された改札処理に必要な改札情報を読み取り、
読み取られた改札情報に基づいて、前記第１券媒体が第１路線から第２路線へ乗り継ぐための乗継券であるか否かを判断し、
前記第１券媒体が乗継券であると判定されたのに基づき、読み取られた前記第１券媒体の改札情報を第２券媒体に対して無線通信により書き込む、
ことを特徴とする改札方法。
【請求項８】
第１路線から第２路線への乗継が可能な駅に設置される改札機による改札方法であって、
投入された第１券媒体に磁気記録された改札処理に必要な改札情報を読み取り、
読み取られた改札情報に基づいて、前記第１券媒体が第１路線から第２路線へ乗り継ぐための乗継券であるか否かを判断し、
前記第１券媒体が乗継券であると判定されたのに基づき、読み取られた前記第１券媒体の改札情報を第２券媒体に対して無線通信により書き込み、
前記第２券媒体に対する改札情報の書込処理中に前記第１券媒体を保留し、
前記第１券媒体に対する改札情報の書込処理が完了したのに基づいて、保留が解除された前記第１券媒体を回収し、
前記第１券媒体に対する改札情報の書込処理が正常に完了しなかったのに基づいて、保留が解除された前記第１券媒体を排出する、
ことを特徴とする改札方法。
【請求項９】
第１路線から第２路線への乗継が可能な駅に設置される改札機による改札方法であって、
第１券媒体に磁気記録された改札処理に必要な改札情報を読み取り、
読み取られた改札情報に基づいて、前記第１券媒体が第１路線から第２路線へ乗り継ぐための乗継券であるか否かを判断し、
前記第１券媒体が乗継券であると判定されたのに基づき、第２券媒体との間で無線通信を行う旨を報知し、
前記第２券媒体との間で無線通信可能な状態において、読み取られた前記第１券媒体の改札情報を前記第２券媒体に対して無線通信により書き込む、
ことを特徴とする改札方法。
【請求項１０】
第１路線から第２路線への乗継が可能な駅に設置される改札機による改札方法であって、
第１券媒体に磁気記録された改札処理に必要な改札情報を読み取り、
読み取られた改札情報に基づいて、前記第１券媒体が第１路線から第２路線へ乗り継ぐための乗継券であるか否かを判断し、
前記第１券媒体が乗継券であると判定されたのに基づき、読み取られた前記第１券媒体の改札情報を無線通信により記憶した第２券媒体を発券する、
ことを特徴とする改札方法。
【発明の詳細な説明】
【技術分野】
【０００１】
この発明は、改札機及び改札方法に係り、特に、磁気式の券媒体処理システムを採用した第１路線から無線式の券媒体処理システムを採用した第２路線への乗継が可能な駅に設置される改札機及びこの改札機による改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される（例えば、特許文献１参照。）。
【０００３】
また近年では、磁気式の券媒体のほかに無線式の券媒体を取り扱う改札機が導入されている。このような無線式対応の改札機では、券媒体との間で無線通信を行い、券媒体から読み取った改札情報に基づいて利用者の通行を許可するか否かの改札処理を行うものである。
【特許文献１】特開平１０−１０５７４５号公報
【発明の開示】
【発明が解決しようとする課題】
【０００４】
最近では、磁気式の券媒体処理システムを採用した第１路線と、無線式の券媒体処理システムを採用した第２路線との間で磁気式の券媒体及び無線式の券媒体を使用して乗継を可能とする要求がある。
【０００５】
第１路線から第２路線に乗り継ぐ際には、まず、磁気式券媒体に対応した改札機で改札処理を行って出場した後、無線式券媒体を購入し、無線式券媒体に対応した改札機で改札処理を行って入場する必要がある。
【０００６】
または、無線式券媒体及び磁気式券媒体に対応可能な改札機では、磁気式券媒体を用いて出場に必要な改札処理を行った後に、無線式券媒体を用いて入場に必要な改札処理を行うことが可能であるが、第１路線から第２路線への乗継が可能な駅において、第１路線内から出場可能な磁気式券媒体と、第２路線内への入場可能な無線式券媒体とを事前に購入する必要がある。
【０００７】
このように、現在の運用では、磁気式の券媒体処理システムを採用した第１路線から無線式の券媒体処理システムを採用した第２路線へのスムースな乗継を行うことができず、利用者へのサービス性の低下、さらには、改札機での改札処理効率の低下を招くといった課題がある。
【０００８】
この発明は、上述した問題点に鑑みなされたものであって、その目的は、利用者へのサービス性を向上することが可能であるとともに改札処理効率を向上することが可能な改札機及びこの改札機による改札方法を提供することにある。
【課題を解決するための手段】
【０００９】
この発明の第１の様態による改札機は、
第１路線から第２路線への乗継が可能な駅に設置される改札機であって、
第１券媒体に磁気記録された改札処理に必要な改札情報を読み取る読取手段と、
前記読取手段により読み取られた改札情報に基づいて、前記第１券媒体が第１路線から第２路線へ乗り継ぐための乗継券であるか否かを判断する判断手段と、
前記判断手段により前記第１券媒体が乗継券であると判定されたのに基づき、前記読取手段により読み取られた前記第１券媒体の改札情報を第２券媒体に対して無線通信により書き込む書込手段と、
を備えたことを特徴とする。
【００１０】
この発明の第２の様態による改札方法は、
第１路線から第２路線への乗継が可能な駅に設置される改札機による改札方法であって、
第１券媒体に磁気記録された改札処理に必要な改札情報を読み取り、
読み取られた改札情報に基づいて、前記第１券媒体が第１路線から第２路線へ乗り継ぐための乗継券であるか否かを判断し、
前記第１券媒体が乗継券であると判定されたのに基づき、読み取られた前記第１券媒体の改札情報を第２券媒体に対して無線通信により書き込む、
ことを特徴とする。
【発明の効果】
【００１１】
この発明によれば、利用者へのサービス性を向上することが可能であるとともに改札処理効率を向上することが可能な改札機及びこの改札機による改札方法を提供することができる。
【発明を実施するための最良の形態】
【００１２】
以下、この発明の一実施の形態に係る改札機及びこの改札機による改札方法について図面を参照して説明する。なお、ここでは、図１に示すように、磁気式の券媒体処理システムを採用した第１路線Ａから無線式の券媒体処理システムを採用した第２路線Ｂへの乗継が可能なＹ駅の改札口に設置される改札機及びこの改札機による改札方法を例に説明する。
【００１３】
図２に示すような改札機は、通常、２台１組として設置され、両者の間に利用者が通行可能な改札通路が形成される。入場業務や出場業務などの改札処理を行う改札機で利用可能な券媒体としては、普通乗車券、定期券、特急券、回数券、入場券、プリペイドカードなどの磁気式券媒体（第１券媒体）及び無線式券媒体（第２券媒体）を対象としている。
【００１４】
これら券媒体は、改札処理に必要な改札情報、例えば、利用可能な区間情報、有効期限情報、入場記録情報、出場記録情報、利用者情報などを有している。このような改札情報は、磁気式券媒体では、その券面の磁気記録層に所定形式で磁気記録されており、また、無線式券媒体では、そのメモリ部に所定形式で記憶されている。
【００１５】
改札機の本体１には、施設内への入場時あるいは施設内からの出場時に、磁気式の券媒体（施設内への入場券、乗車券、定期券、回数券、プリペイドカードなど）が投入される投入口２、この投入口２で受け取った券媒体を必要に応じて排出する排出口３がそれぞれ設けられている。投入口２の近傍には、必要に応じて券媒体の投入を阻止するためのシャッタ（図示しない）が設けられている。
【００１６】
本体１における排出口３の前方には、利用者や係員などに対して案内などの各種情報を表示する案内表示部４が設けられている。本体１の改札通路側に面した側面の両端部には、それぞれ利用者の通行を制御する（通行阻止するまたは通行許可する）開閉動作可能なドア機構５が設けられている。このドア機構５は、通行可否の判定結果に基づいて開閉制御される。
【００１７】
本体１の上部には、利用者の改札通路を規定するための枠体６が立設されている。枠体６及び本体１の各改札通路側の側面には、利用者の通過を検知する複数の人間検知器７がそれぞれ設けられている。また、枠体６上には、小児券の投入、無効券の投入や機器の異常など装置の動作状態を表示する表示灯８が設けられている。
【００１８】
本体１における一端側上面部には、無線式の券媒体との間で無線通信を行う書込手段として機能する無線アンテナ１１１を備えた無線通信装置１１２が設けられている。無線アンテナ１１１は、例えば、ループ状アンテナなどで構成されており、利用者によりかざされた無線式券媒体との間で無線通信を行う。これにより、無線アンテナ１１１は、無線式券媒体から送信されたデータを受信したり、無線式券媒体に対してデータを送信したりする。
【００１９】
また、無線通信装置１１２は、無線アンテナ１１１を覆うカバーを備え、さらに、カバーの内側に無線通信可能な状態の時に点灯するとともに無線通信不能な状態の時に消灯する表示灯を備えている。
【００２０】
図３に示すように、第１実施形態に係る改札機の内部機構において、投入口２と排出口３との間には、投入口２から投入された券媒体を矢印ａ方向に沿って排出口３に向けて搬送するための主搬送路１１が形成されている。この主搬送路１１は、券媒体を搬送するための複数の搬送ローラや、券媒体を挟持して搬送するための搬送ベルトなどによって規定されている。各種搬送ベルト及び搬送ローラは、搬送用モータ７２により駆動される。
【００２１】
主搬送路１１上には、投入口２から排出口３に沿って、分離部１２、整列部１３、読取手段として機能する読取ヘッド１４及び１５、反転部１６、書込ヘッド１８、読取ヘッド１９、振分ゲート２２ａ、入鋏部２０、印刷部２１及び２７、振分ゲート２２ｂ、集積部２３などが順に設けられている。
【００２２】
また、主搬送路１１から分岐した分岐搬送路２５及び集札用搬送路２８が設けられ、さらに集札用搬送路２８から分岐した別集札用搬送路３２が設けられている。分岐搬送路２５上には、保留手段として機能する保留部１７が設けられている。集札用搬送路２８上には、集札保留部２９、振分ゲート３０が順に設けられ、さらに、その先に回収手段として機能する集札部３１が設けられている。別集札用搬送路３２の先には、回収手段として機能する別集札部３３が設けられている。
【００２３】
投入口２は、投入された複数の券媒体を一括して受け取ることが可能である。分離部１２は、投入口２に一括して複数枚重ねて投入された券媒体を一時的に保留するとともに、これらの券媒体を搬送方向ａに沿ってずらして１枚ずつ分離する。整列部１３は、分離部１２から送出されてきた１枚ずつの券媒体を整列して読取ヘッド１４及び１５へ送出する。
【００２４】
読取ヘッド１４及び１５は、券媒体の裏面の磁気記録層に記録されているエンコード磁気情報を読み取るものである。読取ヘッド１４は、券媒体の裏面を上に向けて搬送された場合に上向きの磁気記録層を読み取る。読取ヘッド１５は、券媒体の表面を上に向けて（券媒体の裏面を下に向けて）搬送された場合に下向きの磁気記録層を読み取る。なお、読取ヘッド１４及び１５にそれぞれ対向して、プラテンローラ１４ａ及び１５ａが設けられている。
【００２５】
反転部１６は、読取ヘッド１４及び１５を通過した券媒体がその裏面を上に向けた状態の場合、搬送路１６ａに券媒体をその搬送方向先頭側端部から取り込んだ後に、搬送路１６ｂを介してその搬送方向後方側端部から主搬送路１１へ放出することにより、券媒体の表裏を反転する。
【００２６】
つまり、読取ヘッド１４及び１５を通過した時点で表面を上に向けた状態の券媒体はそのまま反転部１６に導かれることなく通過し、裏面を上に向けた状態の券媒体は反転部１６に導かれて表裏反転される。したがって、書込ヘッド１８に向かう券媒体は、すべて表面を上に向けた状態（磁気記録層を下に向けた状態）で搬送されることになる。
【００２７】
保留部１７は、複数枚の券媒体が一括投入された場合などに一時的に各券媒体を保留するものである。この保留部１７には、主搬送路１１から振分ゲート２２ａを介して分岐搬送路２５に導かれた券媒体をそれぞれ一時的に保留するストッパ１７ａ及び１７ｂが設けられている。これらのストッパ１７ａ及び１７ｂによる保留を解除することにより、券媒体は、搬送路１６ｂを介して主搬送路１１に戻される。
【００２８】
書込ヘッド１８は、券媒体の磁気記録層に対してエンコード磁気情報を記録する。読取ヘッド１９は、ベリファイ用のヘッドであり、書込ヘッド１８により磁気記録層に記録されたエンコード磁気情報を読み取る。なお、書込ヘッド１８及び読取ヘッド１９にそれぞれ対向して、プラテンローラ１８ａ及び１９ａが設けられている。
【００２９】
入鋏部２０は、主搬送路１１を搬送された券媒体に対して必要に応じて穿孔を形成するものである。この入鋏部２０には、入鋏時に券媒体を一時的に保留するストッパ２０ａが設けられている。印刷部２１は、主搬送路１１を搬送された券媒体に対して必要に応じてその表面に日付や改札場所名等の所定の情報を印刷する。印刷部２７は、主搬送路１１を搬送された券媒体に対して必要に応じてその裏面に日付や改札場所名等の所定の情報を印刷する。印刷部２１及び２７は、例えばサーマルヘッド及びインクリボンを用いた熱転写方式のプリンタにより構成されている。
【００３０】
振分ゲート２２ｂは、主搬送路１１を搬送された券媒体のうち、集札部３１あるいは別集札部３３に回収する券媒体を集札用搬送路２８に導く。排出口３から排出する券媒体は、主搬送路１１をそのまま集積部２３に向けて搬送される。
【００３１】
集積部２３は、必要に応じて券媒体を排出口３から排出する排出手段として機能するとともに、一括投入された券媒体をサイズに応じて重ねて揃えるための保留用のストッパ２３ａを備えており、このストッパ２３ａにより、券媒体がまとめられる。まとめられた複数の券媒体は、排出口３から一括して排出される。
【００３２】
集札保留部２９は、券媒体を保留するストッパ２９ａにより構成され、このストッパ２９ａによって、券媒体が集札部３１あるいは別集札部３３へ回収される手前で一時的に保留される。また、振分ゲート３０は、集札用搬送路２８によって搬送されてきた券媒体を集札部３１あるいは別集札部３３へ選択的に振り分ける。
【００３３】
投入口２の近傍には、投入口２への券媒体の投入を検知する検知器５１が設けられている。排出口３の近傍には、排出口３からの券媒体の抜き取りを検知する検知器５２が設けられている。また、各搬送路上には、図示しない複数の検知器が配置され、搬送される券媒体の位置、券媒体の有無などを検知する。これら搬送路上の所定位置において券媒体を検知する検知器は、光学センサによって構成され、例えば搬送路を介して互いに対向配置された一対の発光素子と受光素子とによって構成される。
【００３４】
図４に示すように、改札機は、装置全体の制御を司るＣＰＵ６０を備えている。また、このＣＰＵ６０は、券媒体に記録された改札情報に基づいて改札処理を行うとともに、投入口２から投入された券媒体が第１路線から第２路線へ乗り継ぐための乗継券であるか否かを判断する判断手段として機能する。
【００３５】
このＣＰＵ６０には、ＲＯＭ６１、ＲＡＭ６２、運賃メモリ６３、読取回路６４、書込回路６５、読取回路６６、振分制御回路６７、印刷駆動回路７７、ストッパ制御回路８３などが接続されている。
【００３６】
ＲＯＭ６１は、ＣＰＵ６０の制御プログラムなどを記憶している。ＲＡＭ６２は、制御プログラムのバッファとして情報を記憶するとともに、券媒体から読み取った情報などの各種エラー情報などを記憶する。運賃メモリ６３は、入場駅（から設置駅まで）に対応した運賃情報を記憶している。
【００３７】
読取回路６４は、読取ヘッド１４及び１５を制御するとともに、これらを制御して券媒体に磁気記録された改札処理に必要な改札情報を読み取る読取手段として機能する。ＣＰＵ６０は、読取ヘッド１４及び１５を介して読み取った改札情報に基づいて利用者の改札通路の通行可否を判定する。
【００３８】
書込回路６５は、書込ヘッド１８を制御する。読取回路６６は、読取ヘッド１９を制御する。振分制御回路６７は、振分ゲート２２ａ、２２ｂ、３０を制御する。印刷駆動回路７７は、印刷部２１及び２７の駆動を制御する。ストッパ制御回路８３は、ストッパ１７ａ、１７ｂ、２０ａ、２３ａ、２９ａを駆動するストッパ移動機構８２を制御する。
【００３９】
また、ＣＰＵ６０には、分離制御回路６９、検知回路６８、搬送制御回路７３、通過検知回路７４、ドア制御回路７６、表示制御回路７１、入鋏制御回路７８、シャッタ制御回路８１、音声出力回路８５、無線通信制御回路８８、通信制御回路７９などが接続されている。
【００４０】
分離制御回路６９は、分離部１２における各部の駆動を制御する。検知回路６８は、検知器５１からの出力信号に基づいた投入口２での券媒体の投入状態や、検知器５２からの出力信号に基づいた排出口３での券媒体の抜き取り、各搬送路上の各位置に配置され券媒体を検知する各種検知器からの出力信号に基づいた券媒体の搬送状態などを検知する。
【００４１】
搬送制御回路７３は、券媒体を搬送する主搬送路１１、反転部１６などの各搬送路、分岐搬送路２５、集札用搬送路２８、別集札用搬送路３２などを形成する搬送ベルトや搬送ローラを回転させる搬送用モータ７２の駆動を制御する。
【００４２】
通過検知回路７４は、人間検知器７からの出力信号に基づいて利用者の通過（移動位置）を検知する。ドア制御回路７６は、ドア機構５を駆動するドア開閉機構７５を制御する。表示制御回路７１は、報知手段として機能する案内表示部４、表示灯８などの各種表示部の駆動を制御する。入鋏制御回路７８は、入鋏部２０を制御する。シャッタ制御回路８１は、シャッタを駆動するシャッタ開閉機構８０を制御する。
【００４３】
無線通信制御回路８８は、無線通信装置１１２を制御して、無線アンテナ１１１を介して無線式券媒体と交信し、無線式券媒体に記憶された改札情報に対応したデータを読み取ったり（無線式券媒体から送信されたデータを受信したり）、無線式券媒体に対して所定情報に対応したデータを書き込んだり（無線式券媒体に対してデータを送信したり）する。
【００４４】
音声出力回路８５は、報知手段として機能するとともに、音声にて操作案内を行うスピーカ８４を駆動する。通信制御回路７９は、自動改札機を制御する係員監視装置８７あるいはホストコンピュータ等との間で情報通信を行う。
【００４５】
図５に示すように、無線式券媒体Ｃは、無線通信装置１１２との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３、アンテナ２０４を介して無線通信装置１１２から送信されたデータを受信したり、無線通信装置１１２に対してデータを送信したりする通信制御部２０５などが接続されている。
【００４６】
図６に示すように、無線通信装置１１２は、無線アンテナ１１１を介して、無線式券媒体Ｃに対して一定時間の間隔でポーリングコマンド信号を発信している。利用者が無線式券媒体Ｃを無線アンテナ１１１にかざすと、無線通信によるデータのやり取りが行われる。つまり、このポーリングコマンド信号に対して、無線式券媒体Ｃから返信信号が無線通信装置１１２に向けて送信される（ポーリングレスポンス）。
【００４７】
まず、無線通信装置１１２から無線アンテナ１１１を介して無線式券媒体Ｃに対して改札情報に対応したデータの送信を要求する（リードコマンド）。無線式券媒体Ｃの通信制御部２０５は、アンテナ２０４を介して無線通信装置１１２からのデータ送信要求を受信したのに基づいて、ＣＰＵ２０１の制御に基づきメモリ部２０３に記憶していた改札情報に対応したデータをアンテナ２０４を介して無線通信装置１１２に向けて送信する（リードレスポンス）。
【００４８】
無線通信装置１１２が無線アンテナ１１１を介して無線式券媒体Ｃからデータを受信したのに基づき、改札機におけるＣＰＵ６０は、受信したデータをもとに改札処理を行う（判定）。そして、無線通信装置１１２は、無線アンテナ１１１を介してＣＰＵ６０における改札処理の結果を無線式券媒体Ｃに送信する（判定結果送信、ライトコマンド）。
【００４９】
その後、無線式券媒体Ｃの通信制御部２０５は、アンテナ２０４を介して無線通信装置１１２から送信された改札処理結果に対応するデータを受信したのに基づいて、ＣＰＵ２０１の制御に基づきメモリ部２０３に受信したデータを記憶する。そして、通信制御部２０５は、アンテナ２０４を介して無線通信装置１１２に向けてデータが正常に書き込まれ一連の改札処理が完了したことを通知する（ライトレスポンス）。
【００５０】
このようなデータのやり取りにより、無線式券媒体Ｃと改札機における無線通信装置１１２との間で改札処理に必要な改札情報の無線通信が行われる。
【００５１】
次に、磁気式の券媒体処理システムを採用した第１路線Ａから無線式の券媒体処理システムを採用した第２路線Ｂへの乗継処理について説明する。ここでは、図１に示したように、第１路線Ａ内に設置された改札機では磁気式の券媒体による改札処理のみが可能であり、第２路線Ｂ内に設置された改札機では無線式の券媒体による改札処理のみが可能であるとする。
【００５２】
このような条件で問題となるのが、第１路線から第２路線への乗継である。例えば、磁気式券媒体を利用して第１路線Ａ内におけるＸ駅で入場して、第２路線Ｂへの乗継が可能なＹ駅で乗り継ぐ場合、第１路線ＡのＹ駅構内Ａ１から一旦磁気式券媒体を利用して駅構外に出場しなければならない。その後、無線式券媒体を購入して第２路線Ｂ内のＹ駅構内Ｂ１に入場して、第２路線Ｂ内の目的降車駅となるＺ駅にて無線式券媒体を利用して出場することになる。
【００５３】
この実施の形態は、このような条件下であっても、磁気式の券媒体処理システムを採用した第１路線Ａから無線式の券媒体処理システムを採用した第２路線Ｂへの乗継をスムースに行い、利用者へのサービス性を向上することが可能であるとともに改札処理効率を向上することが可能な改札機及びこの改札機による改札方法を提供するものである。
【００５４】
すなわち、磁気式の券媒体処理システムを採用している第１路線Ａ内では、磁気式券媒体の購入は可能であるが、無線式券媒体は購入できるとは限らない。そこで、第１路線Ａ内のＸ駅において、Ｘ駅からＹ駅を経由して無線式の券媒体処理システムを採用している第２路線Ｂ内のＺ駅までの磁気式券媒体を購入する。
【００５５】
利用者は、この磁気式券媒体を利用してＸ駅から入場し、Ｙ駅に向かう。Ｙ駅は、第１路線Ａから第２路線Ｂへの乗継が可能な駅であり、上述したように、磁気式券媒体及び無線式券媒体による改札処理が可能である。利用者は、Ｙ駅において、この改札機を利用した１回の改札処理により、第１路線の駅構内Ａ１から第２路線の駅構内Ｂ１に直接乗り換えることが可能である。
【００５６】
図７に示すように、改札機のＣＰＵ６０は、まず、検知器５１からの出力信号に基づいて投入口２から磁気式券媒体が投入されたか否かを判断する（ＳＴ１１）。ＣＰＵ６０は、検知回路６８を制御して検知器５１からの出力信号に基づき磁気式券媒体の投入を検知したのに基づいて（ＳＴ１１、Ｙ）、搬送制御回路７３を制御して搬送用モータ７２を駆動し、投入された磁気式券媒体を主搬送路１１に沿って排出口３に向けて搬送する。
【００５７】
続いて、ＣＰＵ６０は、読取回路６４を制御して読取ヘッド１４または１５を介して磁気式券媒体から改札処理に必要な改札情報を読み取る（ＳＴ１２）。すなわち、投入口２から裏面を上に向けて投入された磁気式券媒体の改札情報は読取ヘッド１４を介して読み取られ、投入口２から表面を上に向けて投入された磁気式券媒体の改札情報は読取ヘッド１５を介して読み取られる。ＣＰＵ６０は、磁気式券媒体から読み取った改札情報を一時的にＲＡＭ６２に記憶する。
【００５８】
続いて、ＣＰＵ６０は、磁気式券媒体から読み取った改札情報に基づいて改札処理を行う（ＳＴ１３）。つまり、このＣＰＵ６０は、まず、第１路線Ａ内における乗車駅（すなわちＸ駅）から降車駅（すなわちＹ駅）までの第１利用区間内での改札処理の有効性を判定する。
【００５９】
続いて、ＣＰＵ６０は、第１利用区間内での改札処理が有効である（すなわち利用者の改札通路の通行を許可する）と判定したのに基づき（ＳＴ１３、Ｙ）、投入された磁気式券媒体が乗継券であるか否かを判断する（ＳＴ１４）。すなわち、ＣＰＵ６０は、第２路線Ｂ内における第１利用区間に連続した第２利用区間（例えば乗車駅をＹ駅とし、降車駅をＺとする利用区間）での改札処理に必要な改札情報を含む場合、投入された磁気式券媒体が第１路線Ａから第２路線Ｂへの乗継が可能な乗継券であると判断する。このような判断をしたＣＰＵ６０は、無線式券媒体に対して磁気式券媒体から読み取った改札情報を書き込む必要があると判断する（ＳＴ１４、Ｙ）。
【００６０】
続いて、ＣＰＵ６０は、振分制御回路６７を制御して振分ゲート２２ａを駆動して主搬送路１１を搬送された磁気式券媒体を分岐搬送路２５に導くとともに、ストッパ制御回路８３を制御してストッパ移動機構８２を駆動し、ストッパ１７ａまたは１７ｂにより磁気式券媒体を一時的に保留する（ＳＴ１５）。また、このとき、ＣＰＵ６０は、表示制御回路７１を制御して表示部４を駆動し、また、音声出力回路８５を制御してスピーカ８４を駆動し、利用者が所持する無線式券媒体との間で無線通信を行う旨（例えば無線式券媒体を無線通信装置１１２の無線アンテナ１１１にかざす旨）を報知する。
【００６１】
続いて、ＣＰＵ６０は、無線通信制御回路８８を制御して無線通信装置１１２を駆動し、無線アンテナ１１１を介して無線式券媒体に対して磁気式券媒体から読み取った改札情報（ＲＡＭ６２に記憶した改札情報）を書き込む（ＳＴ１６）。
【００６２】
続いて、ＣＰＵ６０は、無線式券媒体への書込処理が正常に行われたか否かを判定する（ＳＴ１７）。そして、ＣＰＵ６０は、無線式券媒体への書込処理が正常に行われたことが無線式券媒体から無線アンテナ１１１を介して無線通信装置１１２に向けて発信され、正常書き込みが完了したことを判断したのに基づいて（ＳＴ１７、Ｙ）、磁気式券媒体を回収する（ＳＴ１８）。
【００６３】
すなわち、ＣＰＵ６０は、ストッパ制御回路８３を制御してストッパ移動機構８２を駆動し、ストッパ１７ａまたは１７ｂによる磁気式券媒体の保留を解除し、集札部３１あるいは別集札部３３に磁気式券媒体を集札する（ＳＴ１８）。
【００６４】
一方で、ＣＰＵ６０は、ステップＳＴ１３において、第１利用区間内での改札処理が無効である（すなわち利用者の改札通路の通行を許可しない）と判定した場合（ＳＴ１３、Ｎ）や、ステップＳＴ１４において、無線式券媒体に対して磁気式券媒体から読み取った改札情報を書き込む必要がないと判断した場合（ＳＴ１４、Ｎ）や、ステップＳＴ１７において、無線式券媒体への書込処理が正常に完了しなかった（書き込み異常が発生した）ことを判断した場合（ＳＴ１７、Ｎ）には、磁気式券媒体を排出口３から排出する（ＳＴ１９）。
【００６５】
すなわち、ＣＰＵ６０は、ストッパ制御回路８３を制御してストッパ移動機構８２を駆動し、ストッパ１７ａまたは１７ｂによる磁気式券媒体の保留を解除し、集積部２３を介して排出口３から磁気式券媒体を排出する。
【００６６】
このように、上述したような乗継駅に設置された改札機では、投入された磁気式券媒体の改札情報に基づき、有効性を判定し、磁気式券媒体の改札情報を無線式券媒体に書き込み、その後、投入された磁気式券媒体を回収する。すなわち、磁気式券媒体に磁気記録されていた改札情報を無線式券媒体にコピーし、無線式券媒体を第２路線内で使用可能とするものである。
【００６７】
上述したように、第１実施形態によれば、磁気式の券媒体処理システムを採用した第１路線Ａから無線式の券媒体処理システムを採用した第２路線Ｂへ乗り継ぎを行う際、乗継可能な駅に設置された改札機において、磁気式券媒体と使用可能な無線式券媒体とを利用してスムースな乗継改札処理を行うことが可能となる。
【００６８】
つまり、磁気式の券媒体処理システムを採用している第１路線では、磁気式券媒体のみ発行可能であっても、そこで始点駅（乗車駅）⇒乗継駅⇒終点駅（降車駅）までの乗継可能な磁気式券媒体を発行することで、スムースな乗継が可能となる。このため、利用者へのサービス性を向上することが可能であるとともに改札処理効率を向上することが可能となる。
【００６９】
次に、第２実施形態について説明する。なお、上述した第１実施形態（図２）と同一の構成については同一の参照符号を付して詳細な説明を省略する。  
すなわち、図８に示すように、この第２実施形態に係る改札機は、本体１の内部から磁気式券媒体の改札情報を無線通信により記憶した無線式券媒体を発券する発券手段として機能する発券機構１００を備えている。なお、他の構成は、上述した第１実施形態と同一である。
【００７０】
この発券機構１００は、スタック手段として機能するスタッカ１０２、搬送手段として機能するメインモータ１０３及び搬送機構１０４、書込手段として機能する無線通信装置１０５、印刷手段として機能する印刷機構１０６などを備えて構成されている。
【００７１】
スタッカ１０２は、無線式券媒体として発行可能な原券媒体１０１をスタックする。搬送機構１０４は、各種搬送ローラや搬送ベルトなどで構成されており、メインモータ１０３によって駆動され、スタッカ１０２から取り出した原券媒体１０１を発券口１０７まで搬送する。
【００７２】
無線通信装置１０５は、無線アンテナを介して原券媒体１０１との間で無線通信を行うことによって無線式券媒体として発券するのに必要な所定情報（磁気式券媒体から読み取った改札情報など）に対応したデータを原券媒体１０１に書き込む。印刷機構１０６は、発券された無線式券媒体の少なくとも一方の主面に所定情報を印刷する。
【００７３】
このような第２実施形態に係る改札機では、図９に示すように、ＣＰＵ６０には、発券制御回路１２０が接続されている。なお、他の構成は、上述した第１実施形態と同一である。
【００７４】
すなわち、発券制御回路１２０は、無線アンテナ１２１を介して原券媒体１０１と交信して、原券媒体１０１のデータを読み取ったり、原券媒体１０１にデータを書き込んだり、原券媒体１０１のデータを消去したりする無線通信制御回路１２２、メインモータ１０３の駆動を制御する搬送制御回路１２４、印刷機構のサーマルヘッド１２５の駆動を制御する印刷制御回路１２６、検知器１２７からの出力信号に基づいて発券した無線式券媒体の搬送状況を検知する検知回路１２８などで構成されている。
【００７５】
図１０に示すように、ＣＰＵ６０は、検知器５１からの出力信号に基づき磁気式券媒体の投入を検知したのに基づいて（ＳＴ２１、Ｙ）、投入された磁気式券媒体を主搬送路１１に沿って排出口３に向けて搬送する。続いて、ＣＰＵ６０は、読取ヘッド１４または１５を介して磁気式券媒体から改札処理に必要な改札情報を読み取る（ＳＴ２２）。ＣＰＵ６０は、磁気式券媒体から読み取った改札情報を一時的にＲＡＭ６２に記憶する。
【００７６】
続いて、ＣＰＵ６０は、磁気式券媒体から読み取った改札情報に基づいて改札処理を行い、第１利用区間内での改札処理が有効であると判定したのに基づき（ＳＴ２３、Ｙ）、投入された磁気式券媒体が乗継券であるか否かを判断する（ＳＴ２４）。続いて、ＣＰＵ６０は、磁気式券媒体を一時的に保留する（ＳＴ２５）。
【００７７】
続いて、ＣＰＵ６０は、原券媒体１０１に対して磁気式券媒体から読み取った改札情報を書き込む（ＳＴ２６）。すなわち、ＣＰＵ６０は、発券制御回路１２０における搬送制御回路１２４を制御してメインモータ１０３を駆動し、スタッカ１０２にスタックされている原券媒体１０１を取り出し、発券口１０７に向けて搬送する。そして、ＣＰＵ６０は、無線通信制御回路１２２を制御して無線アンテナ１２１を介して原券媒体１０１に対して所定情報を書き込む。
【００７８】
続いて、ＣＰＵ６０は、原券媒体１０１への書込処理が正常に行われたと判断したのに基づいて（ＳＴ２７、Ｙ）、印刷制御回路１２６を制御してサーマルヘッド１２５を駆動し、原券媒体１０１の少なくとも一方の主面に所定情報を印刷する（ＳＴ２８）。
【００７９】
そして、ＣＰＵ６０は、検知回路１２８により検知器１２７からの出力信号に基づき発券口１０７から正常に無線式券媒体の発券が行われたことを判断したのに基づいて（ＳＴ２９、Ｙ）、保留していた磁気式券媒体を回収する（ＳＴ３０）。
【００８０】
一方で、ＣＰＵ６０は、ステップＳＴ２３において、第１利用区間内での改札処理が無効であると判定した場合（ＳＴ２３、Ｎ）や、ステップＳＴ２４において、乗継券ではないと判断した場合（ＳＴ２４、Ｎ）や、ステップＳＴ２７において、原券媒体１０１への書込処理が正常に完了しなかったことを判断した場合（ＳＴ２７、Ｎ）や、ステップＳＴ２９において、無線式券媒体が正常に発券できなかったと判断した場合（ＳＴ２９、Ｎ）には、磁気式券媒体を排出口３から排出する（ＳＴ３１）。
【００８１】
上述したように、第２実施形態によれば、磁気式の券媒体処理システムを採用した第１路線Ａから無線式の券媒体処理システムを採用した第２路線Ｂへ乗り継ぎを行う際、乗継可能な駅に設置された改札機において、磁気式券媒体と改札機にて発券される無線式券媒体とを利用してスムースな乗継改札処理を行うことが可能となる。このため、利用者へのサービス性を向上することが可能であるとともに改札処理効率を向上することが可能となる。
【００８２】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８３】
【図１】図１は、この発明が適用されるシチュエーションを説明するための図である。
【図２】図２は、この発明の一実施の形態に係る改札機の外観を概略的に示す斜視図である。
【図３】図３は、図２に示した改札機に適用可能な第１実施形態の内部構造を概略的に示す図である。
【図４】図４は、図２に示した改札機の制御系の構成を概略的に示すブロック図である。
【図５】図５は、図２に示した改札機による改札処理対象としての無線式券媒体の構成を概略的に示す図である。
【図６】図６は、無線式券媒体と改札機との無線通信による信号のやりとりを説明するための図である。
【図７】図７は、第１実施形態に係る改札処理方法説明するためのフローチャートである。
【図８】図８は、図２に示した改札機に適用可能な第２実施形態の一部の内部構造を概略的に示す図である。
【図９】図９は、図８に示した改札機の制御系の一部の構成を概略的に示すブロック図である。
【図１０】図１０は、第２実施形態に係る改札処理方法説明するためのフローチャートである。
【符号の説明】
【００８４】
１…改札機本体、２…投入口、３…排出口、１４…読取ヘッド、１５…読取ヘッド、６０…ＣＰＵ、１１２…無線通信装置
【図１】
2005173971.tif 000003
【図２】
2005173971.tif 000004
【図３】
2005173971.tif 000005
【図４】
2005173971.tif 000006
【図５】
2005173971.tif 000007
【図６】
2005173971.tif 000008
【図７】
2005173971.tif 000009
【図８】
2005173971.tif 000010
【図９】
2005173971.tif 000011
【図１０】
2005173971.tif 000012